(57)【要約】【課題】柱部の下端部前面と半土台の前面との位置合せを容易にでき、かつ、柱部の前面に、他の壁を建具枠組込用壁体と直角に接合することができる建具枠組込用壁体を提供する。【解決手段】柱部２，２と、柱部２，２の上端部に接合された壁パネル３とを備え、柱部２，２の下端面に半土台４の両端部が接合され、半土台４の両端部前面に、位置合せ板６，６がその上部を半土台４の上面から突出するようにして取り外し可能に取り付けられ、位置合せ板６，６の上部裏面に、柱部２，２の下端部前面が当接されているので、柱部２，２の下端部前面と半土台４の前面とを面一にして、半土台４を柱部２，２に容易に接合できる。  また、位置合せ板６，６を、半土台４の両端部前面から取り外すことによって、柱部２，２の前面２ｃに、他の壁１７を建具枠組込用壁体１と直角に接合することができる【選択図】図１
2010248813.tif 000002
【特許請求の範囲】
【請求項１】
左右一対の柱部と、これら柱部の上端部間に配置されて該柱部の上端部に接合された壁パネルとを備え、前記壁パネルの下側でかつ前記柱部間が建具枠を組み込むための開口部とされた建具枠組込用壁体において、
前記左右一対の柱部の下端部間に半土台が配置されるとともに、この半土台の両端部が前記一対の柱部の下端面に接合されており、
前記半土台の両端部前面に、位置合せ板がその上部を半土台の上面から突出するようにして取り外し可能に取り付けられており、
前記位置合せ板の上部裏面に、前記柱部の下端部前面が当接されていることを特徴とする建具枠組込用壁体。 
【請求項２】
請求項１に記載の建具枠組込用壁体において、
前記位置合せ板の側部が前記半土台の端部から横方向に突出していることを特徴とする建具枠組込用壁体。 
【請求項３】
請求項１または２に記載の建具枠組込用壁体において、
前記左右一対の柱部の間に間柱部が配置されるとともに、この間柱部の上端面と下端面とがそれぞれ前記壁パネルの下面と前記半土台の上面とに接合されており、
前記半土台の中間部前面に、位置合せ板がその上部を半土台の上面から突出するようにして取り外し可能に取り付けられており、
前記位置合せ板の上部裏面に、前記間柱部の下端部前面が当接されていることを特徴とする建具枠組込用壁体。 
【請求項４】
請求項１〜３のいずれか一項に記載の建具枠組込用壁体において、
前記壁パネル、前記左右一対の柱部、前記半土台によって囲まれた開口部、または、前記壁パネル、前記柱部、前記間柱部、前記半土台によって囲まれた開口部に、予め建具枠が組み込まれていることを特徴とする建具枠組込用壁体。
【請求項５】
請求項１〜４のいずれか一項に記載の建具枠組込用壁体を、建築現場で施工される他の壁に接合する方法であって、
前記建築現場で前記建具枠組込壁体から前記位置合せ板を取り外した後、前記柱部の前面に他の壁を接合することを特徴とする建具枠組込用壁体の接合方法。
【発明の詳細な説明】
【技術分野】
【０００１】
本発明は、左右一対の柱部と、これら柱部の上端部間に配置されて該柱部の上端部に接合された壁パネルとを備えた建具枠組込用壁体および建具枠組込用壁体の接合方法に関する。
【背景技術】
【０００２】
サッシ枠組込壁パネルの一例として、特許文献１に記載のものが知られている。このサッシ枠組込壁パネルは、矩形状の袖パネルとこれらの上端側側端面間に配設された矩形状の小壁パネルとからなるコ字状の連結パネルと、この連結パネルの前面側でかつ両袖パネルと小壁パネルとの内側に取付けられた掃き出し窓用サッシ枠と、前記両袖パネルの下端面に取付けられた半土台とからなり、前記掃き出し窓用サッシ枠の下枠が袖パネルの下端面より下側に突出し、かつ前記半土台あるいは胴差しの上端面に凹部が形成され、前記下枠が半土台あるいは胴差しの凹部に嵌入されてなることを特徴としている。
【先行技術文献】
【特許文献】
【０００３】
【特許文献１】特開平７−１８９３６７号公報
【発明の概要】
【発明が解決しようとする課題】
【０００４】
ところで、前記サッシ枠組込壁パネルにおいて、袖パネルに代えて柱状部材を使用する場合もある。
つまり、左右一対の柱部と、これら柱部の上端部間に配置されて該柱部の上端部に接合された壁パネルとを備え、前記壁パネルの下側でかつ前記柱部間が建具枠を組み込むための開口部とされた建具枠組込用壁体を使用する場合もある。
このような建具枠組込用壁体では、柱部の左右の幅が、袖パネルの左右の幅に比して非常に狭いので、柱部の下端部前面と、半土台の前面との位置合せ、つまり、柱部の下端部前面と半土台の前面とを面一にして、半土台を柱部に接合するのが容易ではない。
そこで、柱部の下端部前面と、半土台の前面とを面一とするような位置合せ部材を、柱部の下端部前面と半土台の前面とに亙って固定することも考えられるが、例えば、柱部の前面に、他の壁を建具枠組込用壁体と直角に接合するときに、位置合せ部材が邪魔になってしまうという問題が生じる。
【０００５】
本発明は上記事情に鑑みてなされたもので、柱部の下端部前面と半土台の前面との位置合せを容易にでき、かつ、柱部の前面に、他の壁を建具枠組込用壁体と直角に接合することができる建具枠組込用壁体および建具枠組込用壁体の接合方法を提供することを課題としている。
【課題を解決するための手段】
【０００６】
上記課題を解決するために、請求項１に記載の発明は、例えば図１〜図３に示すように、左右一対の柱部２，２と、これら柱部２，２の上端部間に配置されて該柱部２，２の上端部に接合された壁パネル３とを備え、前記壁パネル３の下側でかつ前記柱部２，２間が建具枠１１を組み込むための開口部１０とされた建具枠組込用壁体１において、
前記左右一対の柱部２，２の下端部間に半土台４が配置されるとともに、この半土台４の両端部が前記一対の柱部２，２の下端面に接合されており、
前記半土台４の両端部前面に、位置合せ板６，６がその上部を半土台４の上面から突出するようにして取り外し可能に取り付けられており、
前記位置合せ板６，６の上部裏面に、前記柱部２，２の下端部前面が当接されていることを特徴とする。
【０００７】
請求項１に記載の発明によれば、前記半土台４の両端部前面に、位置合せ板６，６がその上部を半土台４の上面から突出するようにして取り外し可能に取り付けられており、前記位置合せ板６，６の上部裏面に、前記柱部２，２の下端部前面が当接されているので、柱部２，２の下端部前面と半土台４の前面とを面一にして、半土台４を柱部２，２に容易に接合できる。
また、位置合せ板６，６を、半土台４の両端部前面から取り外すことによって、柱部２，２の下端部前面に位置合せ板６，６がない状態となるので、柱部２，２の前面に、他の壁１７（図７参照）を建具枠組込用壁体１と直角に接合することができる。
【０００８】
請求項２に記載の発明は、請求項１に記載の建具枠組込用壁体１において、
前記位置合せ板６，６の側部が前記半土台４の端部から横方向に突出していることを特徴とする。
【０００９】
請求項２に記載の発明によれば、位置合せ板６，６の側部が半土台４の端部から横方向に突出しているので、この突出している部分を裏側から金槌等で叩くことによって、位置合せ板６，６を半土台４の両端部前面から容易に取り外すことができる。
【００１０】
請求項３に記載の発明は、請求項１または２に記載の建具枠組込用壁体１において、
前記左右一対の柱部２，２の間に間柱部８が配置されるとともに、この間柱部８の上端面と下端面とがそれぞれ前記壁パネル３の下面と前記半土台４の上面とに接合されており、
前記半土台４の中間部前面に、位置合せ板９がその上部を半土台４の上面から突出するようにして取り外し可能に取り付けられており、
前記位置合せ板９の上部裏面に、前記間柱部８の下端部前面が当接されていることを特徴とする。
【００１１】
請求項３に記載の発明によれば、左右一対の柱部２，２の間に配設される間柱部８の上端面と下端面とがそれぞれ前記壁パネル３の下面と前記半土台４の上面とに接合されているので、柱部２，２間の幅が大きくなっても、間柱部８によって建具枠組込用壁体１を補強でき、また、位置合せ板９がその上部を半土台４の上面から突出するようにして取り外し可能に取り付けられており、前記位置合せ板９の上部裏面に、間柱部８の下端部前面が当接されているので、間柱部８の下端部前面と半土台４の前面とを面一にして、半土台４を間柱部８に容易に接合できる。
【００１２】
請求項４に記載の発明は、例えば図４〜図７に示すように、請求項１〜３のいずれか一項に記載の建具枠組込用壁体１において、
前記壁パネル３、前記左右一対の柱部２，２、前記半土台４によって囲まれた開口部、または、前記壁パネル３、前記柱部２、前記間柱部８、前記半土台４によって囲まれた開口部１０に、予め建具枠１１が組み込まれていることを特徴とする。
【００１３】
請求項４に記載の発明によれば、建具枠組込用壁体１の開口部１０に予め建具枠１１が組み込まれているので、この建具枠１１が組み込まれた建具枠組込用壁体１を建築現場まで搬送し、この建築現場で躯体（壁パネル１６，１７）に接合することによって、建築現場での建具枠１１の組み込み作業を省略できる。
また、建築現場で建具枠組込用壁体１を躯体（壁パネル１６，１７）に接合した後、この建具枠組込用壁体１に組み込まれている建具枠１１に建具を嵌め込んで、内側から鍵をすることによって、建築中の建物の防犯になる。
【００１４】
請求項５に記載の発明は、例えば図７に示すように、請求項１〜４のいずれか一項に記載の建具枠組込用壁体１を、建築現場で施工される他の壁（壁パネル）１７に接合する方法であって、
前記建築現場で前記建具枠組込用壁体１から前記位置合せ板６を取り外した後、前記柱部２の前面２ｃに他の壁（壁パネル）１７を接合することを特徴とする。
【００１５】
請求項５に記載の発明によれば、建築現場で建具枠組込用壁体１から位置合せ板６を取り外した後、柱部２の前面２ｃに他の壁１７を接合するので、他の壁１７を建具枠組込用壁体１に隙間なく確実に接合できる。
【発明の効果】
【００１６】
本発明によれば、左右一対の柱部と、これら柱部の上端部間に配置されて該柱部の上端部に接合された壁パネルとを備えた建具枠組込用壁体において、前記左右一対の柱部の下端部間に半土台が配置されるとともに、この半土台の両端部が前記一対の柱部の下端面に接合されており、前記半土台の両端部前面に、位置合せ板がその上部を半土台の上面から突出するようにして取り外し可能に取り付けられており、前記位置合せ板の上部裏面に、前記柱部の下端部前面が当接されているので、柱部の下端部前面と半土台の前面とを面一にして、半土台を柱部に容易に接合できる。
また、位置合せ板を、半土台の両端部前面から取り外すことによって、柱部の下端部前面に位置合せ板がない状態となるので、柱部の前面に、他の壁を建具枠組込用壁体と直角に接合することができる。
【図面の簡単な説明】
【００１７】
【図１】本発明に係る建具枠組込用壁体の一例を示すもので、その正面図である。
【図２】同、側面図である。
【図３】同、半土台の一例を示すもので、（ａ）は正面図、（ｂ）は側面図である。
【図４】同、建具枠を取り付けた状態を示す正面図である。
【図５】同、図４に示すＡ−Ａ線断面図である。
【図６】本発明に係る建具枠組込用壁体を基礎に設置した状態を示す正面図である。
【図７】本発明に係る建具枠組込用壁体を建築現場で施工される他の壁に接合する方法を説明する図であって、（ａ）は建具枠組込用壁体から位置合せ板を取り外した状態を示す要部の側面図、（ｂ）は建具枠組込用壁体に他の壁を直角に接合した状態を示す側面図である。
【発明を実施するための形態】
【００１８】
以下図面を参照して本発明の実施の形態について説明する。
図１は、本発明に係る建具枠組込用壁体１の正面図、図２は同側面図である。これら図に示すように、建具枠組込用壁体１は、左右一対の柱部２，２と、これら柱部２，２の上端部間に配置されて該柱部２，２の上端部に接合された壁パネル３と、左右一対の柱部２，２の下端部間に配置されて、両端部が一対の柱部２，２の下端面に接合された半土台４とを備えている。
【００１９】
柱部２は、柱部本体２ａと、この柱部本体２ａの側面に固定された方立２ｂとを備えている。柱部本体２ａおよび方立２ｂは、それぞれ木質の角材で形成されており、柱部本体２ａは方立２ｂより長くなっている。柱部本体２ａの下端面と方立２ｂとの下端面は面一となっており、柱部本体２ａの上端部は方立２ｂより上方に突出している。そして、この突出した柱部本体２ａ，２ａの上端部間に、壁パネル３が配置されて該柱部本体２ａ，２ａの側面に接合されている。なお、壁パネル３は複数枚の壁パネルを接合することによって構成してもよい。
【００２０】
壁パネル３は、框材を矩形枠状に組み立てるとともに、その矩形枠内に必要に応じて補強桟材を組み付け、さらに、矩形枠の両面に合板等からなる面材を貼り付けてなるものである。このような壁パネル３の側端面が柱部本体２ａの側面に接合されている。
この接合は、壁パネル３の側端面と柱部本体２ａの側面とを接着剤によって接着するとともに、釘を壁パネル３の面材から框材を通して柱部本体２ａまで斜め打ちするとともに、釘を柱部本体２ａの正面から壁パネル３の框材に斜め打ちすることによって行われている。
また、壁パネル３の上端面と柱部本体２ａの上端面とは面一になっている。また、壁パネル３の上縁部には、建具枠組込用壁体１をクレーン等によって吊り下げる際の吊穴５，５が形成されている。
【００２１】
前記半土台４は、基礎の上面の外側半分に設置されるものであり、木質の角材によって形成されている。半土台４は、図２および図３に示すように、半土台本体４ａと、この半土台本体４ａの両端部上面に固定された調整材４ｂ，４ｂと、半土台本体４ａの中央部上面に固定された調整材４ｃとで構成されている。調整材４ｂ，４ｃの上面は、半土台４を基礎の上面に設置した際に、床（床パネル）の上面と面一になるようになっている。つまり、半土台４を基礎の上面に設置した際に、半土台本体４ａの上面は床の上面より低くなり、これによって、建具枠（サッシ枠）の下枠が床面とほぼ等しい高さか若干低く設置できるようになっている。
また、図１に示すように、半土台４の両端部の調整材４ｂ，４ｂが柱部２，２の下端面に接合されている。すなわち、柱部２を構成する方立２ｂの下端面全体に調整材４ｂの上面の一部が接合されており、柱部２を構成する柱部本体２ａの下端面の内側半分に調整材４ｂの上面の他部が接合されている。この接合は、２本釘を半土台本体４ａの端部下面から調整材４ｂを通して方立２ｂおよび柱部本体２ａに打ち込むとともに、接合面を接着剤によって接合することによって行われている。
【００２２】
前記半土台４の両端部前面にはそれぞれ矩形板状の位置合せ板６が、その上部を半土台４の調整材４ｂの上面から突出するようにして取り外し可能に取り付けられている。また、位置合せ板６の側部は半土台４の端部から横方向に突出している。
位置合せ板６は、釘をその下部表面から半土台本体４ａまたは調整材４ｂに打ち込んで仮留めすることによって、取り付けられており、接着剤等によっては接合されていない。したがって、位置合せ板６は、半土台４の端部から横方向に突出している側部の裏面を金槌等で叩いて釘を引き抜くことによって、半土台４から容易に取り外せるようになっている。
そして、この位置合せ板６の上部裏面に柱部２を構成する柱部本体２ａの下端部前面が当接されている。つまり、半土台４を柱部２に接合する際に、位置合せ板６の上部裏面に柱部本体２ａの前面を当接することによって、半土台４の前面と柱部２の下端部前面とが面一になるように位置合せを行うようになっている。
【００２３】
また、前記左右一対の柱部２，２の間には間柱部８が柱部２と平行に配置されており、この間柱部８の上端面と下端面とがそれぞれ前記壁パネル３の下面と前記半土台４の調整材４ｃの上面とに接合されている。
間柱部８の上端面と壁パネル３の下面との接合は、壁パネル３の下面と間柱部８の上端面とを接着剤によって接着するとともに、釘を壁パネル３の面材から框材を通して間柱部８まで斜め打ちするとともに、釘を間柱部８の正面から壁パネル３の框材に斜め打ちすることによって行われている。
また、間柱部８の下端面と調整材４ｃの上面との接合は、２本釘を半土台本体４ａの中央部下面から調整材４ｃを通して間柱部８に打ち込むとともに、接合面を接着剤によって接合することによって行われている。
【００２４】
前記半土台４の中央部前面には矩形板状の位置合せ板９が、その上部を半土台４の調整材４ｃの上面から突出するようにして取り外し可能に取り付けられている。
位置合せ板９は、釘をその下部表面から半土台本体４ａまたは調整材４ｃに打ち込んで仮留めすることによって、取り付けられており、接着剤等によっては接合されていない。したがって、位置合せ板９は、釘を引き抜くことによって、半土台４から容易に取り外せるようになっている。
そして、この位置合せ板９の上部裏面に間柱部８の下端部前面が当接されている。つまり、半土台４を間柱部８に接合する際に、位置合せ板９の上部裏面に間柱部８の前面を当接することによって、半土台４の前面と間柱部８の下端部前面とが面一になるように位置合せを行うようになっている。
【００２５】
上記構成の建具枠組込用壁体１の開口部１０，１０には、図４および図５に示すように、工場等において予め建具枠１１，１１が組み込まれている。
前記開口部１０は、壁パネル３、柱部２、間柱部８、半土台４によって囲まれた開口部であり、建具枠１１は開口部１０に嵌め込める矩形枠状のサッシ枠である。
建具枠（サッシ枠）１１の下枠は、半土台４の上面とほぼ等しい高さか若干低く配置されている。
建具枠１１を開口部１０に嵌め込む場合、半土台４の中央部上面に取り付けられている位置合せ板９を取り外した後行うが、位置合せ板９を取り外さなくても、建具枠１１の縦枠を間柱部８に取り付けることが可能であれば、位置合せ板９は取り外すことなく、そのまま残しておいてもよい。
【００２６】
また、建具枠組込用壁体１の開口部１０，１０に建具枠１１を組み込む際には、建具枠組込用壁体１の表面に、開口部１０，１０を除いて、図示しない透湿防水シートを貼着するとともに、建具枠１１の周囲の防水施工も行う。
【００２７】
そして、上記のようにして建具枠１１が組み込まれた建具枠組込用壁体１は、工場から建築現場に搬送され、図５および図６に示すように、基礎１５の上面に設置される。この場合、吊穴５，５によって建具枠組込用壁体１をクレーン等で吊り下げ、基礎１５の上面に建具枠組込用壁体１の半土台４を図示しない台輪を介して設置する。なお、図５において符号１４は床を構成する床パネルである。
また、基礎１５上に設置される他の壁パネル１６を建具枠組込用壁体１に接合する。接合する壁パネル１６を建具枠組込用壁体１と平面視において一直線上に配置する場合、建具枠組込用壁体１の柱部２の側面と壁パネル１６の側端面とを接合する。この場合、前記位置合せ板６，６は壁パネル１６と干渉しないので、建具枠組込用壁体１に取り付けたままでもよい。
【００２８】
一方、図７に示すように、建具枠１１が組み込まれた建具枠組込用壁体１に、直角に他の壁パネル１７を接合する場合には、建築現場で、建具枠組込用壁体１から位置合せ板６を取り外した後、建具枠組込用壁体１の柱部２の前面２ｃに、他の壁パネル１７を接合する。位置合せ板６を取り外す場合、半土台４の端部から横方向に突出している側部の裏面を金槌等で叩いて釘を引き抜くことによって容易に取り外せる。
このように、建具枠組込用壁体１から位置合せ板６を取り外すことによって、他の壁パネル１７を建具枠組込用壁体１に隙間なく確実に接合できる。
【００２９】
本実施の形態によれば、半土台４の両端部前面に、位置合せ板６，６がその上部を半土台４の上面から突出するようにして取り外し可能に取り付けられており、位置合せ板６，６の上部裏面に、柱部２，２の下端部前面が当接されているので、柱部２，２の下端部前面と半土台４の前面とを面一にして、半土台４を柱部２，２に容易に接合できる。
また、位置合せ板６を、半土台４の両端部前面から取り外すことによって、柱部２の下端部前面に位置合せ板がない状態となるので、柱部２の前面に、他の壁１７を建具枠組込用壁体１と直角に接合することができる。
また、位置合せ板６の側部が半土台４の端部から横方向に突出しているので、この突出している部分を裏側から金槌等で叩くことによって、位置合せ板６を半土台４の両端部前面から容易に取り外すことができる。
【００３０】
さらに、左右一対の柱部２，２の間に配設される間柱部８の上端面と下端面とがそれぞれ壁パネル３の下面と半土台４の調整材４ｃの上面とに接合されているので、柱部２，２間の幅が大きくなっても、間柱部８によって建具枠組込用壁体１を補強でき、また、位置合せ板９がその上部を半土台４の調整材４ｃの上面から突出するようにして取り外し可能に取り付けられており、位置合せ板９の上部裏面に、間柱部８の下端部前面が当接されているので、間柱部８の下端部前面と半土台４の前面とを面一にして、半土台４を間柱部８に容易に接合できる。
【００３１】
加えて、建具枠組込用壁体１の開口部１０に予め建具枠１１が組み込まれているので、この建具枠１１が組み込まれた建具枠組込用壁体１を建築現場まで搬送し、この建築現場で躯体（壁パネル１６，１７）に接合することによって、建築現場での建具枠１１の組み込み作業を省略できる。
また、建築現場で建具枠組込用壁体１を躯体（壁パネル１６，１７）に接合した後、この建具枠組込用壁体１に組み込まれている建具枠１１に建具を嵌め込んで、内側から鍵をすることによって、建築中の建物の防犯になる。
また、建築現場で建具枠組込用壁体１から位置合せ板６を取り外した後、柱部２の前面２ｃに他の壁（壁パネル）１７を接合するので、他の壁（壁パネル）１７を建具枠組込用壁体１に隙間なく確実に接合できる。
【符号の説明】
【００３２】
１  建具枠組込用壁体
２  柱部
３  壁パネル
４  半土台
・  位置合せ板
８  間柱部
１０  開口部
１１  建具枠
１７  他の壁
【図１】
2010248813.tif 000003
【図２】
2010248813.tif 000004
【図３】
2010248813.tif 000005
【図４】
2010248813.tif 000006
【図５】
2010248813.tif 000007
【図６】
2010248813.tif 000008
【図７】
2010248813.tif 000009